【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の送信時間間隔（ＴＴＩ）持続時間のための第１の電力制御パラメータに少なくとも部分的に基づいて前記第１のＴＴＩ持続時間のための第１のアップリンク（ＵＬ）電力制限を決定することと、
第２のＴＴＩ持続時間のための第２の電力制御パラメータに少なくとも部分的に基づいて前記第２のＴＴＩ持続時間のための第２のＵＬ電力制限を決定することと、ここにおいて、前記第２のＴＴＩ持続時間が、前記第１のＴＴＩ持続時間よりも長い、
前記第１のＵＬ電力制限と前記第２のＵＬ電力制限とに少なくとも部分的に基づいて前記第１のＴＴＩ持続時間を有する第１のＴＴＩ中に送信することと
を備え、前記第１のＴＴＩ中に送信することが、
前記第１のＵＬ電力制限に少なくとも部分的に基づいて前記第１のＴＴＩ持続時間を有する前記第１のＴＴＩ中に第１のメッセージを送信することと、
前記第２のＵＬ電力制限に少なくとも部分的に基づいて前記第２のＴＴＩ持続時間を有する第２のＴＴＩ中に第２のメッセージを送信することと、ここにおいて、前記第２のＴＴＩが、前記第１のＴＴＩを備える、
を備える、方法。
【請求項２】
前記第１のＴＴＩを備える前記第２のＴＴＩに少なくとも部分的に基づいて前記第１のＵＬ電力制限と前記第２のＵＬ電力制限との両方に含まれるセル最大送信電力パラメータを調整すること
をさらに備える、請求項１に記載の方法。
【請求項３】
前記第１のＴＴＩ持続時間に関連する第１の電力ヘッドルームと前記第２のＴＴＩ持続時間に関連する第２の電力ヘッドルームとを決定することと、
前記第２の電力ヘッドルームを示す第２の電力ヘッドルーム報告とともに前記第１の電力ヘッドルームを示す第１の電力ヘッドルーム報告を送信することと
をさらに備える、請求項１に記載の方法。
【請求項４】
第１の干渉特性に少なくとも部分的に基づいてサブフレームの第１のセットを識別すること、および第２の干渉特性に少なくとも部分的に基づいてサブフレームの第２のセットを識別することを行うことと、
サブフレームの前記第１のセットのための電力制御変数の第１のセットとサブフレームの前記第２のセットのための電力制御変数の第２のセットとを維持することと、ここにおいて、前記第１のＵＬ電力制限または前記第２のＵＬ電力制限が、電力制御変数の前記第１のセットまたは電力制御変数の前記第２のセットに少なくとも部分的に基づく、
をさらに備える、請求項１に記載の方法。
【請求項５】
前記第１のＴＴＩのための前記第１のメッセージが、前記第２のＴＴＩ持続時間を有する前記第２のＴＴＩのための前記第２のメッセージ中に発生するようにスケジュールされるかどうかを決定することと、
前記第１のメッセージが前記第２のメッセージ中に発生すると決定されたかどうかに少なくとも部分的に基づいて前記第２のメッセージのための前記第２のＵＬ電力制限に調整ファクタを適用することと
をさらに備える、請求項１に記載の方法。
【請求項６】
前記第１のＴＴＩ中に送信することが、
前記第１のＵＬ電力制限に少なくとも部分的に基づいて前記第１のメッセージを送信すること、および前記適用された調整ファクタをもつ前記第２のＵＬ電力制限に少なくとも部分的に基づいて前記第２のメッセージを送信することを行うこと
を備える、請求項５に記載の方法。
【請求項７】
前記調整ファクタが、前記第１のＴＴＩ持続時間に関連する第１の電力ヘッドルームと前記第２のＴＴＩ持続時間に関連する第２の電力ヘッドルームとに少なくとも部分的に基づく、請求項５に記載の方法。
【請求項８】
前記調整ファクタが、前記第１のＵＬ電力制限と前記調整ファクタをもつ前記第２のＵＬ電力制限との和がセル最大送信電力パラメータに等しくなるように計算される、請求項５に記載の方法。
【請求項９】
電力バックオフのセットから前記調整ファクタを選択すること
をさらに備える、請求項５に記載の方法。
【請求項１０】
電力バックオフの前記セットが、電力制限付き低レイテンシバックオフ、電力制限なし低レイテンシバックオフ、低レイテンシバックオフ、非低レイテンシバックオフ、またはそれらの任意の組合せを備える、請求項９に記載の方法。
【請求項１１】
ワイヤレス通信のための装置であって、
プロセッサと、
前記プロセッサと電子通信しているメモリと、
前記メモリに記憶され、前記プロセッサによって実行されたとき、前記装置に、
第１の送信時間間隔（ＴＴＩ）持続時間のための第１の電力制御パラメータに少なくとも部分的に基づいて前記第１のＴＴＩ持続時間のための第１のアップリンク（ＵＬ）電力制限を決定することと、
第２のＴＴＩ持続時間のための第２の電力制御パラメータに少なくとも部分的に基づいて前記第２のＴＴＩ持続時間のための第２のＵＬ電力制限を決定することと、ここにおいて、前記第２のＴＴＩ持続時間が、前記第１のＴＴＩ持続時間よりも長い、
前記第１のＵＬ電力制限と前記第２のＵＬ電力制限とに少なくとも部分的に基づいて前記第１のＴＴＩ持続時間を有する第１のＴＴＩ中に送信することと
を行わせるように動作可能な命令と
を備え、前記装置に、前記第１のＴＴＩ中に送信することを行わせるように実行可能な前記命令が、前記装置に、
前記第１のＵＬ電力制限に少なくとも部分的に基づいて前記第１のＴＴＩ持続時間を有する前記第１のＴＴＩ中に第１のメッセージを送信することと、
前記第２のＵＬ電力制限に少なくとも部分的に基づいて前記第２のＴＴＩ持続時間を有する第２のＴＴＩ中に第２のメッセージを送信することと、ここにおいて、前記第２のＴＴＩが、前記第１のＴＴＩを備える、
を行わせるように前記プロセッサによってさらに実行可能である、装置。
【請求項１２】
前記命令が、前記装置に、
前記第１のＴＴＩを備える前記第２のＴＴＩに少なくとも部分的に基づいて前記第１のＵＬ電力制限と前記第２のＵＬ電力制限との両方に含まれるセル最大送信電力パラメータを調整すること
を行わせるようにさらに実行可能である、請求項１１に記載の装置。
【請求項１３】
前記命令が、前記装置に、
前記第１のＴＴＩ持続時間に関連する第１の電力ヘッドルームと前記第２のＴＴＩ持続時間に関連する第２の電力ヘッドルームとを決定することと、
前記第２の電力ヘッドルームを示す第２の電力ヘッドルーム報告とともに前記第１の電力ヘッドルームを示す第１の電力ヘッドルーム報告を送信することと
を行わせるようにさらに実行可能である、請求項１１に記載の装置。
【請求項１４】
前記命令が、前記装置に、
第１の干渉特性に少なくとも部分的に基づいてサブフレームの第１のセットを識別すること、および第２の干渉特性に少なくとも部分的に基づいてサブフレームの第２のセットを識別することを行うことと、
サブフレームの前記第１のセットのための電力制御変数の第１のセットとサブフレームの前記第２のセットのための電力制御変数の第２のセットとを維持することと、ここにおいて、前記第１のＵＬ電力制限または前記第２のＵＬ電力制限が、電力制御変数の前記第１のセットまたは電力制御変数の前記第２のセットに少なくとも部分的に基づく、
を行わせるようにさらに実行可能である、請求項１１に記載の装置。
【請求項１５】
前記命令が、前記装置に、
前記第１のＴＴＩのための前記第１のメッセージが、前記第２のＴＴＩ持続時間を有する前記第２のＴＴＩのための前記第２のメッセージ中に発生するようにスケジュールされるかどうかを決定することと、
前記第１のメッセージが前記第２のメッセージ中に発生すると決定されたかどうかに少なくとも部分的に基づいて前記第２のメッセージのための前記第２のＵＬ電力制限に調整ファクタを適用することと
を行わせるようにさらに実行可能である、請求項１１に記載の装置。
【請求項１６】
前記装置に、前記第１のＴＴＩ中に送信することを行わせるように実行可能な前記命令が、前記装置に、
前記第１のＵＬ電力制限に少なくとも部分的に基づいて前記第１のメッセージを送信すること、および前記適用された調整ファクタをもつ前記第２のＵＬ電力制限に少なくとも部分的に基づいて前記第２のメッセージを送信することを行うこと
を行わせるように前記プロセッサによってさらに実行可能である、請求項１５に記載の装置。
【請求項１７】
前記調整ファクタが、前記第１のＴＴＩ持続時間に関連する第１の電力ヘッドルームと前記第２のＴＴＩ持続時間に関連する第２の電力ヘッドルームとに少なくとも部分的に基づく、請求項１５に記載の装置。
【請求項１８】
前記調整ファクタが、前記第１のＵＬ電力制限と前記調整ファクタをもつ前記第２のＵＬ電力制限との和がセル最大送信電力パラメータに等しくなるように計算される、請求項１５に記載の装置。
【請求項１９】
前記命令が、前記装置に、
電力バックオフのセットから前記調整ファクタを選択すること
を行わせるようにさらに実行可能である、請求項１５に記載の装置。
【請求項２０】
電力バックオフの前記セットが、電力制限付き低レイテンシバックオフ、電力制限なし低レイテンシバックオフ、低レイテンシバックオフ、非低レイテンシバックオフ、またはそれらの任意の組合せを備える、請求項１９に記載の装置。
【手続補正２】
【補正対象書類名】明細書
【補正対象項目名】０１８０
【補正方法】変更
【補正の内容】
【０１８０】
[0188]本明細書での説明は、当業者が本開示を作成または使用することができるように与えられたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
第１の送信時間間隔（ＴＴＩ）持続時間のための第１の電力制御パラメータに少なくとも部分的に基づいて前記第１のＴＴＩ持続時間のための第１のアップリンク（ＵＬ）電力制限を決定することと、
第２のＴＴＩ持続時間のための第２の電力制御パラメータに少なくとも部分的に基づいて前記第２のＴＴＩ持続時間のための第２のＵＬ電力制限を決定することと、ここにおいて、前記第２のＴＴＩ持続時間が、前記第１のＴＴＩ持続時間よりも長い、
前記第１のＵＬ電力制限と前記第２のＵＬ電力制限とに少なくとも部分的に基づいて前記第１のＴＴＩ持続時間を有する第１のＴＴＩ中に送信することと
を備える、方法。
［Ｃ２］
前記第１のＴＴＩ中に送信することが、
前記第１のＵＬ電力制限に少なくとも部分的に基づいて前記第１のＴＴＩ持続時間を有する前記第１のＴＴＩ中に第１のメッセージを送信することと、
前記第２のＵＬ電力制限に少なくとも部分的に基づいて前記第２のＴＴＩ持続時間を有する第２のＴＴＩ中に第２のメッセージを送信することと、ここにおいて、前記第２のＴＴＩが、前記第１のＴＴＩを備える、
を備える、Ｃ１に記載の方法。
［Ｃ３］
前記第１のＴＴＩを備える前記第２のＴＴＩに少なくとも部分的に基づいて前記第１のＵＬ電力制限と前記第２のＵＬ電力制限とのセル最大送信電力パラメータを調整すること
をさらに備える、Ｃ２に記載の方法。
［Ｃ４］
前記第１のＴＴＩ持続時間に関連する第１の電力ヘッドルームと前記第２のＴＴＩ持続時間に関連する第２の電力ヘッドルームとを決定することと、
前記第２の電力ヘッドルームを示す第２の電力ヘッドルーム報告とともに前記第１の電力ヘッドルームを示す第１の電力ヘッドルーム報告を送信することと
をさらに備える、Ｃ１に記載の方法。
［Ｃ５］
第１の干渉特性に少なくとも部分的に基づいてサブフレームの第１のセットを識別すること、および第２の干渉特性に少なくとも部分的に基づいてサブフレームの第２のセットを識別することを行うことと、
サブフレームの前記第１のセットのための電力制御変数の第１のセットとサブフレームの前記第２のセットのための電力制御変数の第２のセットとを維持することと、ここにおいて、前記第１のＵＬ電力制限または前記第２のＵＬ電力制限が、電力制御変数の前記第１のセットまたは電力制御変数の前記第２のセットに少なくとも部分的に基づく、
をさらに備える、Ｃ１に記載の方法。
［Ｃ６］
前記第１のＴＴＩのための第１のメッセージが、前記第２のＴＴＩ持続時間を有する第２のＴＴＩのための第２のメッセージ中に発生するようにスケジュールされるかどうかを決定することと、ここにおいて、前記第２のＴＴＩが、前記第１のＴＴＩを備える、
前記第１のメッセージが前記第２のメッセージ中に発生すると決定されたかどうかに少なくとも部分的に基づいて前記第２のメッセージのための前記第２のＵＬ電力制限に調整ファクタを適用することと
をさらに備える、Ｃ１に記載の方法。
［Ｃ７］
前記第１のＴＴＩ中に送信することが、
前記第１のＵＬ電力制限に少なくとも部分的に基づいて前記第１のメッセージを送信すること、および適用された調整ファクタをもつ前記第２のＵＬ電力制限に少なくとも部分的に基づいて前記第２のメッセージを送信することを行うこと
を備える、Ｃ６に記載の方法。
［Ｃ８］
前記調整ファクタが、前記第１のＴＴＩ持続時間に関連する第１の電力ヘッドルームと前記第２のＴＴＩ持続時間に関連する第２の電力ヘッドルームとに少なくとも部分的に基づく、Ｃ６に記載の方法。
［Ｃ９］
前記調整ファクタが、前記第１のＵＬ電力制限と前記調整ファクタをもつ前記第２のＵＬ電力制限との和がセル最大送信電力パラメータに等しくなるように計算される、Ｃ６に記載の方法。
［Ｃ１０］
電力バックオフのセットから前記調整ファクタを選択すること
をさらに備える、Ｃ６に記載の方法。
［Ｃ１１］
電力バックオフの前記セットが、電力制限付き低レイテンシバックオフ、電力制限なし低レイテンシバックオフ、低レイテンシバックオフ、非低レイテンシバックオフ、またはそれらの任意の組合せを備える、Ｃ１０に記載の方法。
［Ｃ１２］
ワイヤレス通信の方法であって、
第１の復調基準信号（ＤＭＲＳ）ウインドウと第２のＤＭＲＳウインドウとを識別することと、
前記第１のＤＭＲＳウインドウ中に第１の送信電力制御（ＴＰＣ）コマンドを受信することと、
第２のＴＰＣコマンドが前記第２のＤＭＲＳウインドウ中に受信されるかどうかを決定することと、
前記第２のＴＰＣコマンドが前記第２のＤＭＲＳウインドウ中に受信されるかどうかの前記決定に少なくとも部分的に基づいて前記第２のＤＭＲＳウインドウ中にＵＬデータメッセージを送信することと
を備える、方法。
［Ｃ１３］
前記第２のＤＭＲＳウインドウ中に前記第２のＴＰＣコマンドを受信することと、
前記ＵＬデータメッセージが、前記第２のＤＭＲＳウインドウの最初のシンボル期間の間にスケジュールされると決定することと、
前記ＵＬデータメッセージが、前記第２のＤＭＲＳウインドウの前記最初のシンボル期間の間にスケジュールされるとの前記決定に少なくとも部分的に基づいて前記第１のＴＰＣコマンドに従って前記第２のＤＭＲＳウインドウ中に前記ＵＬデータメッセージを送信することと
をさらに備える、Ｃ１２に記載の方法。
［Ｃ１４］
前記ＵＬデータメッセージを送信した後に前記第２のＤＭＲＳウインドウ中にＤＭＲＳを送信することと、
前記ＤＭＲＳを送信した後に第２のＵＬデータメッセージを送信することと、ここにおいて、前記第２のＵＬデータメッセージが前記第２のＴＰＣコマンドに従って、前記ＤＭＲＳに少なくとも部分的に基づいて送信される、
をさらに備える、Ｃ１３に記載の方法。
［Ｃ１５］
前記第２のＤＭＲＳウインドウ中に前記第２のＴＰＣコマンドを受信することと、
前記ＵＬデータメッセージが、前記第２のＤＭＲＳウインドウの最初のシンボル期間の間にスケジュールされないと決定することと、
前記ＵＬデータメッセージが、前記第２のＤＭＲＳウインドウの前記最初のシンボル期間の間にスケジュールされないとの前記決定に少なくとも部分的に基づいて前記第２のＴＰＣコマンドに従って前記第２のＤＭＲＳウインドウ中に前記ＵＬデータメッセージを送信することと
をさらに備える、Ｃ１２に記載の方法。
［Ｃ１６］
ワイヤレス通信のための装置であって、
第１の送信時間間隔（ＴＴＩ）持続時間のための第１の電力制御パラメータに少なくとも部分的に基づいて前記第１のＴＴＩ持続時間のための第１のアップリンク（ＵＬ）電力制限を決定するための手段と、
第２のＴＴＩ持続時間のための第２の電力制御パラメータに少なくとも部分的に基づいて前記第２のＴＴＩ持続時間のための第２のＵＬ電力制限を決定するための手段と、ここにおいて、前記第２のＴＴＩ持続時間が、前記第１のＴＴＩ持続時間よりも長い、
前記第１のＵＬ電力制限と前記第２のＵＬ電力制限とに少なくとも部分的に基づいて前記第１のＴＴＩ持続時間を有する第１のＴＴＩ中に送信するための手段と
を備える、装置。
［Ｃ１７］
前記第１のＴＴＩ中に送信するための前記手段が、
前記第１のＵＬ電力制限に少なくとも部分的に基づいて前記第１のＴＴＩ持続時間を有する前記第１のＴＴＩ中に第１のメッセージを送信するための手段と、
前記第２のＵＬ電力制限に少なくとも部分的に基づいて前記第２のＴＴＩ持続時間を有する第２のＴＴＩ中に第２のメッセージを送信するための手段と、ここにおいて、前記第２のＴＴＩが、前記第１のＴＴＩを備える、
を備える、Ｃ１６に記載の装置。
［Ｃ１８］
前記第１のＴＴＩを備える前記第２のＴＴＩに少なくとも部分的に基づいて前記第１のＵＬ電力制限と前記第２のＵＬ電力制限とのセル最大送信電力パラメータを調整するための手段
をさらに備える、Ｃ１７に記載の装置。
［Ｃ１９］
前記第１のＴＴＩ持続時間に関連する第１の電力ヘッドルームと前記第２のＴＴＩ持続時間に関連する第２の電力ヘッドルームとを決定するための手段と、
前記第２の電力ヘッドルームを示す第２の電力ヘッドルーム報告とともに前記第１の電力ヘッドルームを示す第１の電力ヘッドルーム報告を送信するための手段と
をさらに備える、Ｃ１６に記載の装置。
［Ｃ２０］
第１の干渉特性に少なくとも部分的に基づいてサブフレームの第１のセットを識別すること、および第２の干渉特性に少なくとも部分的に基づいてサブフレームの第２のセットを識別することを行うための手段と、
サブフレームの前記第１のセットのための電力制御変数の第１のセットとサブフレームの前記第２のセットのための電力制御変数の第２のセットとを維持するための手段と、ここにおいて、前記第１のＵＬ電力制限または前記第２のＵＬ電力制限が、電力制御変数の前記第１のセットまたは電力制御変数の前記第２のセットに少なくとも部分的に基づく、
をさらに備える、Ｃ１６に記載の装置。
［Ｃ２１］
前記第１のＴＴＩのための第１のメッセージが、前記第２のＴＴＩ持続時間を有する第２のＴＴＩのための第２のメッセージ中に発生するようにスケジュールされるかどうかを決定するための手段と、ここにおいて、前記第２のＴＴＩが、前記第１のＴＴＩを備える、
前記第１のメッセージが前記第２のメッセージ中に発生すると決定されたかどうかに少なくとも部分的に基づいて前記第２のメッセージのための前記第２のＵＬ電力制限に調整ファクタを適用するための手段と
をさらに備える、Ｃ１６に記載の装置。
［Ｃ２２］
前記第１のＴＴＩ中に送信するための前記手段が、
前記第１のＵＬ電力制限に少なくとも部分的に基づいて前記第１のメッセージを送信すること、および適用された調整ファクタをもつ前記第２のＵＬ電力制限に少なくとも部分的に基づいて前記第２のメッセージを送信することを行うための手段
を備える、Ｃ２１に記載の装置。
［Ｃ２３］
前記調整ファクタが、前記第１のＴＴＩ持続時間に関連する第１の電力ヘッドルームと前記第２のＴＴＩ持続時間に関連する第２の電力ヘッドルームとに少なくとも部分的に基づく、Ｃ２１に記載の装置。
［Ｃ２４］
前記調整ファクタが、前記第１のＵＬ電力制限と前記調整ファクタをもつ前記第２のＵＬ電力制限との和がセル最大送信電力パラメータに等しくなるように計算される、Ｃ２１に記載の装置。
［Ｃ２５］
電力バックオフのセットから前記調整ファクタを選択するための手段
をさらに備える、Ｃ２１に記載の装置。
［Ｃ２６］
電力バックオフの前記セットが、電力制限付き低レイテンシバックオフ、電力制限なし低レイテンシバックオフ、低レイテンシバックオフ、非低レイテンシバックオフ、またはそれらの任意の組合せを備える、Ｃ２５に記載の装置。
［Ｃ２７］
ワイヤレス通信のための装置であって、
第１の復調基準信号（ＤＭＲＳ）ウインドウと第２のＤＭＲＳウインドウとを識別するための手段と、
前記第１のＤＭＲＳウインドウ中に第１の送信電力制御（ＴＰＣ）コマンドを受信するための手段と、
第２のＴＰＣコマンドが前記第２のＤＭＲＳウインドウ中に受信されるかどうかを決定するための手段と、
前記第２のＴＰＣコマンドが前記第２のＤＭＲＳウインドウ中に受信されるかどうかの前記決定に少なくとも部分的に基づいて前記第２のＤＭＲＳウインドウ中にＵＬデータメッセージを送信するための手段と
を備える、装置。
［Ｃ２８］
前記第２のＤＭＲＳウインドウ中に前記第２のＴＰＣコマンドを受信するための手段と、
前記ＵＬデータメッセージが、前記第２のＤＭＲＳウインドウの最初のシンボル期間の間にスケジュールされると決定するための手段と、
前記ＵＬデータメッセージが、前記第２のＤＭＲＳウインドウの前記最初のシンボル期間の間にスケジュールされるとの前記決定に少なくとも部分的に基づいて前記第１のＴＰＣコマンドに従って前記第２のＤＭＲＳウインドウ中に前記ＵＬデータメッセージを送信するための手段と
をさらに備える、Ｃ２７に記載の装置。
［Ｃ２９］
前記ＵＬデータメッセージを送信した後に前記第２のＤＭＲＳウインドウ中にＤＭＲＳを送信するための手段と、
前記ＤＭＲＳを送信した後に第２のＵＬデータメッセージを送信するための手段と、ここにおいて、前記第２のＵＬデータメッセージが前記第２のＴＰＣコマンドに従って、前記ＤＭＲＳに少なくとも部分的に基づいて送信される、
をさらに備える、Ｃ２８に記載の装置。
［Ｃ３０］
前記第２のＤＭＲＳウインドウ中に前記第２のＴＰＣコマンドを受信するための手段と、
前記ＵＬデータメッセージが、前記第２のＤＭＲＳウインドウの最初のシンボル期間の間にスケジュールされないと決定するための手段と、
前記ＵＬデータメッセージが、前記第２のＤＭＲＳウインドウの前記最初のシンボル期間の間にスケジュールされないとの前記決定に少なくとも部分的に基づいて前記第２のＴＰＣコマンドに従って前記第２のＤＭＲＳウインドウ中に前記ＵＬデータメッセージを送信するための手段と
をさらに備える、Ｃ２７に記載の装置。
［Ｃ３１］
ワイヤレス通信のための装置であって、
プロセッサと、
前記プロセッサと電子通信しているメモリと、
前記メモリに記憶され、前記プロセッサによって実行されたとき、前記装置に、
第１の送信時間間隔（ＴＴＩ）持続時間のための第１の電力制御パラメータに少なくとも部分的に基づいて前記第１のＴＴＩ持続時間のための第１のアップリンク（ＵＬ）電力制限を決定することと、
第２のＴＴＩ持続時間のための第２の電力制御パラメータに少なくとも部分的に基づいて前記第２のＴＴＩ持続時間のための第２のＵＬ電力制限を決定することと、ここにおいて、前記第２のＴＴＩ持続時間が、前記第１のＴＴＩ持続時間よりも長い、
前記第１のＵＬ電力制限と前記第２のＵＬ電力制限とに少なくとも部分的に基づいて前記第１のＴＴＩ持続時間を有する第１のＴＴＩ中に送信することと
を行わせるように動作可能な命令と
を備える、装置。
［Ｃ３２］
前記装置に、前記第１のＴＴＩ中に送信することを行わせるように実行可能な前記命令が、前記装置に、
前記第１のＵＬ電力制限に少なくとも部分的に基づいて前記第１のＴＴＩ持続時間を有する前記第１のＴＴＩ中に第１のメッセージを送信することと、
前記第２のＵＬ電力制限に少なくとも部分的に基づいて前記第２のＴＴＩ持続時間を有する第２のＴＴＩ中に第２のメッセージを送信することと、ここにおいて、前記第２のＴＴＩが、前記第１のＴＴＩを備える、
を行わせるように前記プロセッサによってさらに実行可能である、Ｃ３１に記載の装置。
［Ｃ３３］
前記命令が、前記装置に、
前記第１のＴＴＩを備える前記第２のＴＴＩに少なくとも部分的に基づいて前記第１のＵＬ電力制限と前記第２のＵＬ電力制限とのセル最大送信電力パラメータを調整すること
を行わせるようにさらに実行可能である、Ｃ３２に記載の装置。
［Ｃ３４］
前記命令が、前記装置に、
前記第１のＴＴＩ持続時間に関連する第１の電力ヘッドルームと前記第２のＴＴＩ持続時間に関連する第２の電力ヘッドルームとを決定することと、
前記第２の電力ヘッドルームを示す第２の電力ヘッドルーム報告とともに前記第１の電力ヘッドルームを示す第１の電力ヘッドルーム報告を送信することと
を行わせるようにさらに実行可能である、Ｃ３１に記載の装置。
［Ｃ３５］
前記命令が、前記装置に、
第１の干渉特性に少なくとも部分的に基づいてサブフレームの第１のセットを識別すること、および第２の干渉特性に少なくとも部分的に基づいてサブフレームの第２のセットを識別することを行うことと、
サブフレームの前記第１のセットのための電力制御変数の第１のセットとサブフレームの前記第２のセットのための電力制御変数の第２のセットとを維持することと、ここにおいて、前記第１のＵＬ電力制限または前記第２のＵＬ電力制限が、電力制御変数の前記第１のセットまたは電力制御変数の前記第２のセットに少なくとも部分的に基づく、
を行わせるようにさらに実行可能である、Ｃ３１に記載の装置。
［Ｃ３６］
前記命令が、前記装置に、
前記第１のＴＴＩのための第１のメッセージが、前記第２のＴＴＩ持続時間を有する第２のＴＴＩのための第２のメッセージ中に発生するようにスケジュールされるかどうかを決定することと、ここにおいて、前記第２のＴＴＩが、前記第１のＴＴＩを備える、
前記第１のメッセージが前記第２のメッセージ中に発生すると決定されたかどうかに少なくとも部分的に基づいて前記第２のメッセージのための前記第２のＵＬ電力制限に調整ファクタを適用することと
を行わせるようにさらに実行可能である、Ｃ３１に記載の装置。
［Ｃ３７］
ワイヤレス通信のための装置であって、
プロセッサと、
前記プロセッサと電子通信しているメモリと、
前記メモリに記憶され、前記プロセッサによって実行されたとき、前記装置に、
第１の復調基準信号（ＤＭＲＳ）ウインドウと第２のＤＭＲＳウインドウとを識別することと、
前記第１のＤＭＲＳウインドウ中に第１のＴＰＣコマンドを受信することと、
第２のＴＰＣコマンドが前記第２のＤＭＲＳウインドウ中に受信されるかどうかを決定することと、
前記第２のＴＰＣコマンドが前記第２のＤＭＲＳウインドウ中に受信されるかどうかの前記決定に少なくとも部分的に基づいて前記第２のＤＭＲＳウインドウ中にＵＬデータメッセージを送信することと
を行わせるように動作可能な命令と
を備える、装置。
［Ｃ３８］
前記命令が、前記装置に、
前記第２のＤＭＲＳウインドウ中に前記第２のＴＰＣコマンドを受信することと、
前記ＵＬデータメッセージが、前記第２のＤＭＲＳウインドウの最初のシンボル期間の間にスケジュールされると決定することと、
前記ＵＬデータメッセージが、前記第２のＤＭＲＳウインドウの前記最初のシンボル期間の間にスケジュールされるとの前記決定に少なくとも部分的に基づいて前記第１のＴＰＣコマンドに従って前記第２のＤＭＲＳ窓中に前記ＵＬデータメッセージを送信することと
を行わせるようにさらに実行可能である、Ｃ３７に記載の装置。
［Ｃ３９］
前記命令が、前記装置に、
前記ＵＬデータメッセージを送信した後に前記第２のＤＭＲＳウインドウ中にＤＭＲＳを送信することと、
前記ＤＭＲＳを送信した後に第２のＵＬデータメッセージを送信することと、ここにおいて、前記第２のＵＬデータメッセージが前記第２のＴＰＣコマンドに従って、前記ＤＭＲＳに少なくとも部分的に基づいて送信される、
を行わせるようにさらに実行可能である、Ｃ３８に記載の装置。
［Ｃ４０］
前記命令が、前記装置に、
前記第２のＤＭＲＳウインドウ中に前記第２のＴＰＣコマンドを受信することと、
前記ＵＬデータメッセージが、前記第２のＤＭＲＳウインドウの最初のシンボル期間の間にスケジュールされないと決定することと、
前記ＵＬデータメッセージが、前記第２のＤＭＲＳウインドウの前記最初のシンボル期間の間にスケジュールされないとの前記決定に少なくとも部分的に基づいて前記第２のＴＰＣコマンドに従って前記第２のＤＭＲＳウインドウ中に前記ＵＬデータメッセージを送信することと
を行わせるようにさらに実行可能である、Ｃ３７に記載の装置。